(57)【要約】【課題】背面に映る被写体の影を抑える。【解決手段】撮影装置１０は、撮影空間２０Ａと収納空間２０Ｂを有する筐体２０と、収納空間２０Ｂ内に設けられた照明部Ｓ１，Ｓ２およびカメラ１２と、撮影空間２０Ａ内に設けられ、背面３６を照らす追加照明部４０とを備える。追加照明部４０は背面３６の上方部に設置され、背面３６を上方から下方へ向かって照らす。【選択図】図１
2019109401.tif 000002
【特許請求の範囲】
【請求項１】
正面と背面とを含む撮影空間と、収納空間とを有する筐体と、
前記筐体の前記収納空間内に設けられ、前記撮影空間を照らす照明部および前記撮影空間を撮影するカメラと、
前記筐体の前記撮影空間内の前記背面側に設けられ、前記背面を照らす追加照明部とを備え、
前記追加照明部は前記背面の上方部に設置され、前記背面を上方から下方へ向って照らす撮影装置。
【請求項２】
前記追加照明部の下端に、前記背面と平行に伸びる導光板を設置し、前記追加照明部からの光をこの導光板により前記背面側へ導く、請求項１記載の撮影装置。
【請求項３】
前記追加照明部の下端に、前記背面と平行に延びる複数の導光板を設置し、各導光板の下端は順次前記背面から離れるにつれて下方へ位置する、請求項１記載の撮影装置。
【請求項４】
前記背面の前記追加照明部の下方に背もたれ部が設けられ、前記背もたれ部の前記背面からの突出高さは、前記背面から最も離れた導光板の前記背面からの距離より大きい、請求項３記載の撮影装置。
【発明の詳細な説明】
【技術分野】
【０００１】
本発明は、撮影装置に係り、とりわけ背面に映る被写体の影を抑えることができる撮影装置に関する。
【背景技術】
【０００２】
従来、免許証やパスポート、履歴書等に貼付するための写真等を撮影するためのボックス型の写真撮影装置が知られている。この写真撮影装置においては、ユーザー、すなわち被写体が撮影されるとともに、得られた被写体画像がプリントされる。
【０００３】
そして、例えば、プリクラや証明写真ボックスなどのセルフポートレイト撮影機として筐体を有し、筐体内が前面と背面とを有する撮影空間と、カメラおよび照明部を収納する収納空間とに区画された写真撮影装置が知られている。
【０００４】
このような従来の写真撮影装置においては、撮影空間の背面側に、背面に映る被写体の影を抑える追加照明部が設けられている。
【先行技術文献】
【特許文献】
【０００５】
【特許文献１】特開２００５−１２３９７８号公報
【発明の概要】
【発明が解決しようとする課題】
【０００６】
しかしながら、被写体の後髪が長い場合、あるいは被写体がフード付上着を着ている場合、後髪あるいはフードが追加照明部の上板に載ってしまうと、追加照明部により背面を完全に照らすことはできず、背面に被写体の影が残ることがある。この場合、背面を背景とするクロマキー合成処理を精度良く行うことができず、明瞭な写真を作製することができない。
【０００７】
本発明は、このような点を考慮してなされたものであり、背面に映る被者体の影をできるだけ抑えることができる撮影装置を提供することを目的とする。
【課題を解決するための手段】
【０００８】
本発明は、正面と背面とを含む撮影空間と、収納空間とを有する筐体と、
前記筐体の前記収納空間内に設けられ、前記撮影空間を照らす照明部および前記撮影空間を撮影するカメラと、
前記筐体の前記撮影空間内の前記背面側に設けられ、前記背面を照らす追加照明部とを備え、
前記追加照明部は前記背面の上方部に設置され、前記背面を上方から下方へ向って照らす撮影装置である。
【０００９】
本発明は、前記追加照明部の下端に、前記背面と平行に伸びる導光板を設置し、前記追加照明部からの光をこの導光板により前記背面側へ導く撮影装置である。
【００１０】
本発明は、前記追加照明部の下端に、前記背面と平行に延びる複数の導光板を設置し、各導光板の下端は順次前記背面から離れるにつれて下方へ位置する撮影装置である。
【００１１】
本発明は、前記背面の前記追加照明部の下方に背もたれ部が設けられ、前記背もたれ部の前記背面からの突出高さは、前記背面から最も離れた導光板の前記背面からの距離より大きい撮影装置である。
【発明の効果】
【００１２】
以上のように本発明によれば、背面に映る被写体の影をできる限り抑えて明瞭な写真を作製することができる。
【図面の簡単な説明】
【００１３】
【図１】図１は、本実施の形態による写真撮影装置の各構成部分の配置の一例を示す側面図である。
【図２】図２は、写真撮影装置内の背面部分を示す拡大図である。
【図３】図３は、写真撮影装置のシステム構成の一例を示す図である。
【図４】図４は、写真撮影装置の外観を示す図である。
【発明を実施するための形態】
【００１４】
＜発明の実施の形態＞
以下、図面を参照して本発明の実施の形態について説明する。
【００１５】
ここで図１は、本実施の形態による写真撮影装置に被写体（ユーザー）Ｐが位置した場合の各構成部分の配置の一例を示す図である。また、図２は、図１に示す写真撮影装置内の背面部分を示す拡大図である。また図３は写真撮影装置のシステム構成を示す図、図４は写真撮影装置の外観図である。
【００１６】
なお、図１においては、簡単のため、Ｉ／Ｏユニット３１は省略されている。
【００１７】
図１乃至図４に示すように、本発明による写真撮影装置（単に撮影装置ともいう）１０は筐体２０と、筐体２０内を撮影空間２０Ａと収納空間２０Ｂとに区画する回動自在の開閉扉２１とを備えている。このうち筐体２０はその一側に出入口２０ａを有し、筐体２０の内壁２０ｄのうち出入口２０ａと反対側の部分に開閉扉２１用のヒンジが垂直方向に延びて設けられている。そして開閉扉２１は、このヒンジを介して回動可能となっており、開閉扉２１は筐体２０内を撮影空間２０Ａと収納空間２０Ｂとに明確に区画する閉位置と、この閉位置から撮影空間２０Ａ側へ回動する開位置とを取ることができる。
【００１８】
また筐体２０の撮影空間２０Ａは正面３５と背面３６とを有し、この撮影空間２０Ａ内には、被写体が座る座部２５が設けられている。
【００１９】
さらに筐体２０の収納空間２０Ｂ内には、筐体２０の内壁２０ｄに沿って、下方から上方へ向かって順に、プリンタ１７と、電源ユニット１９と、カメラ（撮影部）１２と、制御部１１とが設けられている。このうちプリンタ１７はカメラ１２で撮影した写真をメディアにプリントするものである。また制御部１１は、後述のように写真撮影装置１０全体を制御するものである。
【００２０】
さらに筐体２０の収納室内２０Ｂ内には、開閉扉２１の収納空間２０Ｂ側の面に、下方から上方へ向かって順に、下方ストロボユニットＳ１と、表示状態および操作機能をもったモニタ１４と、検知センサ１３およびスピーカ２２と、課金設備２３と、上方ストロボユニットＳ２とが設けられている。このうち下方ストロボユニットＳ１と上方ストロボユニットＳ２は、撮影空間２０Ａ内を照らす照明部を構成する。
【００２１】
またモニタ１４は被写体に対して撮影した写真を表示する機能と、被写体であるユーザＰが必要な操作を実行する操作機能とを有する。
【００２２】
また、図４に示すように、筐体２０の外面には、プリンタ１７によりプリントされた写真印刷物を取り取出口２０ｃと、ユーザーＰが筐体２０内部に出入する出入口２０ａが設けられている。
【００２３】
また、図４に示すように、出入口２０ａには、写真撮影を行う際に外部からの光を遮断する遮光カーテン２０ｂが取り付けられている。
【００２４】
また図１に示すように、撮影空間２０Ａに設けられた座部２５は、ユーザーＰの高さに応じて昇降可能となっている。
【００２５】
次に写真撮影装置１０の各構成部分について、更に詳述する。
【００２６】
図１に示すように、開閉扉２１には撮影窓２１ｂが設けられ、収納空間２０Ｂに設けられたカメラ１２は、この撮影窓２１ｂを介して撮影空間２０Ａ内の被写体（ユーザー）Ｐを撮影して画像情報を得る。またプリンタ１７はこの画像情報に対応する被写体画像をプリントしてユーザーＰに証明写真を提供する。
【００２７】
なお「画像情報」とは、撮影により得られた被写体画像の電子情報のことである。
【００２８】
また、撮影窓２１ｂの下方には、ユーザーＰが撮影空間２０Ａ内に入ってきたことを検知する検知センサ１３と、スピーカ２２とが設けられている。
【００２９】
そして、ユーザーＰの入室が検知センサ１３により検知されると、モニタ１４およびスピーカ２２によるガイダンスを開始する。
【００３０】
次に制御部１１について述べる。制御部１１は、ＣＰＵ（Central Processing Unit）、ＲＡＭ（Random Access Memory）等から構成される。
【００３１】
この制御部１１は、記憶部１６に格納されているシステムプログラムや、画像撮影処理プログラム、画像処理プログラム等の各種プログラムを読み出してＲＡＭに展開し、当該プログラムに従って各部の動作を集中制御するようになっている。
【００３２】
また、撮影部であるカメラ１２は、光学レンズ、ＣＣＤ（Charge Coupled Device）等の光学センサ、Ａ／Ｄ（Analog/Digital）変換部等で構成されている。
【００３３】
このカメラ１２は、撮影時には光学レンズを介して入力される被写体像を光学センサにより光電変換して画像信号（アナログ）を生成する。そして、当該Ａ／Ｄ変換部によりアナログ画像信号からデジタル画像データを得て、当該デジタル画像データを制御部１１に出力するようになっている。
【００３４】
撮影部であるカメラ１２は、上述のように筐体２０の内壁２０ｄに設けられ、撮影空間２０Ａ内に位置するユーザーＰを撮影して画像情報を得るようになっている。
【００３５】
また、検知センサ１３は、筐体２０の撮影空間２０Ａ内にユーザーＰが入室したことを検知する光学センサであり、その検知信号を制御部１１に出力するようになっている。
【００３６】
また、操作機能をもつモニタ１４は、ユーザーＰが撮影に関する操作入力をするためのものである。
【００３７】
このモニタ１４は、写真種類を選択するための写真種選択スイッチ、撮影開始を指示するための撮影スイッチ、撮影画像のプリント出力を指示するためのプリントスイッチ等の各種機能キーを備える。
【００３８】
またモニタ１４は後述のように表示機能を併せもっており、タッチパネルからなる。
【００３９】
このモニタ１４は、操作されたキーに対応する操作信号を制御部１１に出力するようになっている。
【００４０】
すなわちモニタ１４は操作手順やその他撮影に関するガイド映像等を表示するＬＣＤ表示部を有する。
【００４１】
このＬＣＤ表示部は、ＬＣＤ（Liquid Crystal Display）の画面を備える。
【００４２】
このＬＣＤ表示部は、制御部１１からの制御信号に従って、撮影手順を説明するガイド画面、写真種類を選択するための選択画面等の各種操作画面や、カメラ（撮像装置）Ｃにより撮影されたユーザーＰの顔画像等を表示する。
【００４３】
また、ＬＣＤ表示部は、既述のように、撮影に関する情報をユーザーＰに向けて表示するとともに、ユーザーが撮影に関する操作入力を行うようになっている。
【００４４】
モニタ１４はカメラ１２用の撮影窓２１ｂよりも下方に位置するように開閉扉２１に設けられ、撮影に関する所定の情報を表示するためのものである。
【００４５】
なお、撮影に関する情報は、ＬＣＤ表示部に表示されるとともに、ＬＣＤ表示部の上方に設けられたスピーカ２２を介して音声でユーザーＰに提供されてもよい。
【００４６】
また、記憶部１６は、システムプログラムの他、顔画像撮影処理プログラム、画像処理プログラム等の各種処理プログラム及び各プログラムで処理されたデータ等を記憶するようになっている。
【００４７】
そして、プリンタ１７は、制御部１１から入力された画像データに基づいてプリント出力を行う（すなわち、カメラ（撮影部）Ｃが取得した画像情報に対応する被写体画像をプリントする）ようになっている。
【００４８】
また、図３に示すＩ／Ｏユニット３１は、制御部１１と、スピーカ２２、課金設備２３、及びストロボユニットＳとの間で情報のやり取りを仲介するインターフェイスである。
【００４９】
このＩ／Ｏユニット３１は、制御部１１からの制御信号をスピーカ２２、課金設備２３、ストロボユニットＳに送信するとともに、スピーカ２２、課金設備２３、ストロボユニットＳからのステータス信号等を制御部１１に出力するようになっている。
【００５０】
そして、スピーカ２２は、Ｉ／Ｏユニット３１を介して制御部１１から入力されるガイド用アナウンスの音声信号を出力する。
【００５１】
また、図１に示すように、開閉扉２１の収納空間２０Ｂ側の面には、ユーザーＰの前方位置に撮影用の下方ストロボユニットＳ１と上方ストロボユニットＳ２が設けられている。さらに撮影空間２０Ａ内の背面３６の上端部には、座部２５に座っているユーザーＰの後方位置にある背面３６に対して上方から下方へ向けて光を照射する追加ストロボユニット（追加照明部）４０が設けられている。なお、追加ストロボユニット４０を必ずしも背面３６の上端部に設ける必要はなく、追加ストロボユニット４０は座部２５に座るユーザーＰの上方位置にあればよい。
【００５２】
ユーザーＰの前方に設けられた下方ストロボユニットＳ１および上方ストロボユニットＳ２と、追加ストロボユニット４０は、制御部１１から指示された発光タイミング、発光量で同期して発光を行うようになっている。
【００５３】
次に追加ストロボユニット（追加照明部）４０について更に述べる。追加ストロボユニット４０は、背面３６を照らして下方ストロボユニットＳ１および上方ストロボユニットＳ２により背面３６に映り込むユーザーＰの影を抑えるようにしたものである。
【００５４】
このような追加ストロボユニット４０は、上述のように背面３６の上端部に設けられており、追加ストロボユニット４０の下端に背面３６と平行に延びる複数、例えば４枚の導光板４１が設置されている。この４枚の導光板４１は追加ストロボユニット４０からの光を背面３６側へ導くものである。
【００５５】
また４枚の導光板４１は、背面３６から離れるにつれてその高さｈが徐々に大きくなっている（図２参照）。また各導光板４１は各々の上端が追加ストロボユニット４０の下端に一致して、同一の高さに位置している。このため４枚の導光板４１の下端は背面３６から離れるにつれて徐々に下方へ位置することになる。
【００５６】
このため追加ストロボユニット４０から照射された光を４枚の導光板４１によって背面３６側へ導くとともに、４枚の導光板４１によって、追加ストロボユニット４０から照射された光が撮影空間２０Ａ内に回り込むことを確実に防ぐことができる。
【００５７】
ところで背面３６のうち追加ストロボユニット４０の下方にはユーザーＰ用の背もたれ部４５が取り付けられており、背もたれ部４５の背面３６からの突出高さｈ１は、背面３６から最も離れた導光板４１の背面３６からの距離ｈ２より大きくなっている。
【００５８】
このため追加ストロボユニット４０から照射された光は、導光板４１により背面３６に対して背もたれ部４５より内側へ導かれることはない。このためこの光が、背もたれ部４５にもたれるユーザーＰの頭部、あるいは肩部を上方から照らすことはなく、ユーザーＰの頭部あるいは肩部が過度に照らされてユーザーＰの撮影写真が不鮮明になることはない。
【００５９】
なお、上述した実施の形態において、追加ストロボユニット４０の下端に背面３６と平行に延びる４枚の導光板４１を設けた例を示したが、４枚の導光板４１を下方にいくに従って、背面３６側に傾斜するよう設けてもよい。
【００６０】
次にこのような構成からなる本実施の形態の作用について説明する。
【００６１】
通常稼動中に被写体であるユーザーＰが筐体２０内に入り、座部２５上に座る。ユーザーＰはモニタ１４の画面に沿ってモニタ１４を操作する。そしてユーザーＰが必要な料金を課金設備２３に投入することにより、下方ストロボユニットＳ１および上方ストロボユニットＳ２と、追加ストロボユニット４０が同期して作動し、カメラ１２により撮影が開始される。カメラ１２により撮影された画像は制御部１１へ送られ、プリンタ１７により写真印刷物が作製され、作製された写真印刷物は取出口２０Ｃから排出される。
【００６２】
この間、座部２５に座るユーザーＰがおさげの髪をもち、長い後髪Ｐ１を有することがある。例えば追加ストロボユニット４０が背もたれ部４５内に設置され、この追加ストロボユニット４０により背面３６を照射する場合、長い後髪Ｐ１の影が背面３６上に映り込むことが考えられる。
【００６３】
これに対して本発明によれば、追加ストロボユニット４０は背面３６の上端部に設けられ、この追加ストロボユニット４０により背面３６を上方から下方へ向けて照射する。このため追加ストロボユニット４０からの光が後髪Ｐ１に遮られることはなく、背面３６を確実に照らすことができる。この場合、追加ストロボユニット４０からの光を導光板４１によって背面３６側へ確実に導くことができる。
【００６４】
このように、下方ストロボユニットＳ１および上方ストロボユニットＳ２によって背面３６に映り込むユーザーＰの影３８を追加ストロボユニット４０からの光により確実に抑えることができる。このためカメラ１２により撮影された画像が制御部１１に送られ、この制御部１１において、ユーザーＰの画像を背面３６を背景としてクロマキー合成処理をする場合、適切かつ精度良くクロマキー合成処理を行うことができる。
【符号の説明】
【００６５】
１０  写真撮影装置
１１  制御部
１２  カメラ（撮影部）
１３  検知センサ
１４  モニタ
１６  記憶部
１７  プリンタ
２０  筐体
２０Ａ  撮影空間
２０Ｂ  収納空間
２０ｄ  内壁
２１  開閉扉
２１ｂ  撮影窓
２２  スピーカ
２３  課金設備
３１  Ｉ／Ｏ（Input/Output）ユニット
３５  正面
３６  背面
４０  追加ストロボユニット
４１  導光板
Ｓ１  下方ストロボユニット
Ｓ２  上方ストロボユニット
Ｐ  ユーザー
【図１】
2019109401.tif 000003
【図２】
2019109401.tif 000004
【図３】
2019109401.tif 000005
【図４】
2019109401.tif 000006